(57)【要約】      （修正有）【課題】電動機等の絶縁抵抗測定において、絶縁抵抗測定器具を現地に携行、移動することを必要としない遠隔測定を可能にする電磁接触器を得る。【解決手段】電磁接触器４が開路しているときに接となる固定接点である絶縁抵抗測定接点１９を設け、この絶縁抵抗測定接点１９と電動機側ケーブル１４に繋がる負荷側電源接続端子１２ｂとを新規配線１８で繋ぐ。さらにこの絶縁抵抗測定接点１９のもう片側の絶縁抵抗測定接点１９と外部取り出し端子となる絶縁抵抗測定端子２０とを新規配線１８によって繋ぐ。【選択図】図５
2010160124.tif 000002
【特許請求の範囲】
【請求項１】
負荷側ケーブルが接続されている負荷側電源接続端子に直接繋がる配線を布設し、負荷側ケーブルの情報を外部に伝えることができる配線を持つ接触器。
【請求項２】
接触器が開路している時に接となる接続子・固定接点の一端に負荷側ケーブルの情報を外部に伝えることができる配線を接続、他端を新たに布設した外部端子に接続した絶縁抵抗測定端子を持つ接触器。
【請求項３】
この特徴を持った接触器の提供で絶縁抵抗測定の遠隔化を実現する。
【発明の詳細な説明】
【技術分野】
【０００１】  本発明は絶縁抵抗測定の遠隔化が実現できる電磁接触器等に関するもの。
【背景技術】
【０００２】  工場の電動機を負荷とした例にとって説明する。概略図を図１に示すが、工場等では多数の電動機１３の運転、停止は次のように行われる。中央制御室の遠隔監視・制御装置２４から有線や無線回路を介して通信装置２３の指令を受けた電動機制御箱１内にあるスイッチ３のオン、オフにより電磁接触器４の接、断が行われ交流電源の通電、遮断で運転、停止を行うものである。コントロールセンター２２は多数ある電動機制御箱１を集めたもので、現場の電動機１３の近くに設置されている。【０００３】  図２は電動機制御箱１の内部を図示したもので電磁接触器４は電動機制御箱１に格納され、この中には他に開閉器２、電磁接触器４をコントロールするスイッチ３、交流電源から引き込まれた電源側ケーブル１５、電動機に引き出される電動機側ケーブル１４、および電動機側ケーブル１４と電動機１３とを接続する為の中継端子台１１、から成っている。さらに電磁接触器４は一つのフレームの中に組み込まれた部品で構成されるもので大きく分けると、交流電源の接、断に直接作用する可動鉄心６に連結する部分とスイッチ３によって可動鉄心６への吸引力を発生するコイル５とに分かれる。可動鉄心６には主接続子９と補助接続子１０が連結され、可動鉄心６の動きと動作を一にする。主接続子９は交流電源の接、断に直接関与する部分で電源側ケーブル１５と電動機側ケーブル１４にそれぞれ繋がった固定接点８と電源側電源接続端子１２ａ、負荷側電源接続端子１２ｂを通じて交流電源の通電、遮断動作を行っている。図２のスイッチ３はＯＦＦとなっているため電磁接触器４は開路し、電動機１３は停止している状態を示し図３はスイッチ３がＯＮした状態で電磁接触器４は閉路し電動機１３は運転している状態を示す。【０００４】  工場の電動機は一般的に家庭用電源より数倍高い電圧の交流電源を使用しているが、ケーブルや電動機巻線に被覆している絶縁物が正常な絶縁性能を維持しているかの確認をするものが絶縁抵抗測定である。図４を基に電動機の絶縁抵抗測定の手順を述べる。スイッチ３がＯＦＦで電動機１３が停止している状態を確認の上、携帯式絶縁抵抗測定器１６をコントロールセンターまで携行、移動する。電動機制御箱１にある開閉器２を開放し電磁接触器４の交流電源側で電源側ケーブル１５以降を無電圧にする。携帯式絶縁抵抗測定器の絶縁抵抗測定端子１７の一方を大地に繋がる部分に、もう片方の絶縁抵抗測定端子１７を中継端子台１１にある電動機ケーブル接続端子１２ｃに当てて対地間の絶縁抵抗値を計測し、数値によってはこれからの電動機の運転禁止などについて処置検討することになる。図４の絶縁抵抗測定端子１７から示している破線は、絶縁抵抗測定端子１７を当てて計測した時の正常な電流の流れを示しているもので、対地間は絶縁されている為流れる電流は微小で絶縁性能は良好と判定されるが、例えばバツ印の電動機ケーブル部等で被覆が損傷している部分がある場合にはこの部分からの電流流出が大となり絶縁性能は不良と判定される。【０００５】  このように電動機の絶縁抵抗測定では、係員が携帯式絶縁抵抗測定器１６を現場のコントロールセンターまで携行し、電動機ケーブル接続端子１２ｃにて一連の測定操作を実施している���の最大の理由が、電動機側ケーブル１４以降のケーブル、巻線の無被覆部分が唯一この電動機制御箱１内の電動機ケーブル接続端子１２ｃにしかないため、わざわざ現場に赴いて計測を行っている最大の理由である。【０００６】
【特許文献１】  特開平６−４３１９５号  （段落０００５〜０００８、図１、図３）  この提案の問題点は電源検出装置のリレー１８に繋がるケーブルが常に三相交流電動機の配線用遮断機１６に繋がっていることである。当然これに繋がるリレーの接点情報が必要である為こういう形が必要であるが三相交流電動機１３が運転中は常時この電源１２が荷電されていることになる。図３を見ればいくつかの三相交流電動機１３に繋がるケーブルコネクタが装備されているが現地で係員が間違ってこのコネクタに接触すれば感電する恐れがあるうえ、電動機負荷に繋がるケーブルには余分な回路は付加せず絶縁性能の向上に努めるべきである。
【発明の開示】
【発明が解決しようとする課題】
【０００７】  絶縁抵抗測定を現場で行うことなく遠隔化を実現させる為には、電動機１３が停止し電動機側ケーブル１４が無電圧になった状態の時に、電動機側ケーブル１４以降の電動機ケーブル接続端子１２ｃの無被覆部分に相当する情報を外部に検出する手段が必要である。
【課題を解決するための手段】
【０００８】  本発明は電磁接触器が開路した時に接となる接点に、電動機側ケーブルに直接繋がる配線によって電動機側ケーブル情報を、外部に取り出すことができる電磁接触器等の提供である。本発明によりこれまでのような電動機絶縁抵抗測定に際し、現場コントロールセンターで開閉器を開放し、電磁接触器以降の電動機ケーブルの無電圧化をする行為と、電動機ケーブル接続端子の無被覆部分に相当する電動機ケーブル情報を提供できる電磁接触器の開発でこの電磁接触器の利用により電動機絶縁抵抗測定の遠隔化が可能と成る。【０００９】  図５に本発明の電磁接触器を図示する。これまでの電磁接触器４に新規固定接点として絶縁抵抗測定接点１９と絶縁抵抗測定端子２０を新たに設ける。この新しい絶縁抵抗測定接点１９は電磁接触器４が開路した時に主接続子９が接するように設置する。新規配線１８により、電動機側ケーブル１４に繋がる負荷側電源接続端子１２ｂと一方の絶縁抵抗測定接点１９を接続する。さらに新規配線１８によりもう片方の絶縁抵抗測定接点１９と絶縁抵抗測定端子２０とを接続する。この接点を有する電磁接触器４を利用することで電磁接触器４が閉路して電動機に電圧がかかると絶縁抵抗測定接点１９と主接続子９は断となり絶縁抵抗測定端子２０からの情報検出は遮断される。電磁接触器４が開路して電動機１３が無電圧状態となると絶縁抵抗測定接点１９と主接続子９が接して電動機ケーブル１４の情報を絶縁抵抗測定端子２０に導くものである。【００１０】  これら情報は電動機１３が停止したときの電動機ケーブル端子１２ｃの無被覆部分に相当するもので現地での開閉器２の開操作による無電圧状態の創出に該当する。さらにこの電磁接触器４が開路したときのみ電動機側ケーブル１４と連結させる構造となるため、電動機１３が運転中には荷電された状態を外部に伝達することはなく間違えて接触しても安全な上、荷電中には外部ケーブルに接続する部分が無く絶縁性能を低下させることも少ない。結果的に〔０００６〕に記載する特許文献のような安全上の問題、絶縁上の問題の発生は生じることがない。
【発明の効果】
【００１１】  工場では多数の電動機が昼夜を違わず運転、停止を繰り返し稼動しているが、電動機に過大な負荷が掛かると大きな電流が流れ、開閉器などに装備の安全装置が動作してこの電動機を停止させる。この時電動機、電動機ケーブルの絶縁性能が低下して安全装置が動作していないかの絶縁抵抗測定が行われる。本発明の電磁接触器を採用し、絶縁抵抗測定の遠隔化が実現できればわざわざ現場に赴いての測定が不要となり大幅な省力化が可能となる。またこのような工場等では夜間の人員配置も限られているため、現場での測定操作中に他のトラブルが発生した場合などは監視が手薄になるなど体制上の問題も発生することになるが中央制御室で絶縁抵抗測定が可能となればこの点でも監視体制の強化につながるなど大きなメリットがある。さらに大規模工場では一つの制御室からいくつもの工場棟に分散、設置された多数の電動機等を一括監視している為、法で定められた定期的に実施する必要のある絶縁抵抗測定、不定期で実施している自主点検での絶縁抵抗測定などにも多大な労力と、時間を費やしているのが現状である。本発明はこの絶縁抵抗測定を中央制御室から遠隔で実施、絶縁抵抗測定結果を応答させ省力化と迅速さを実現させるものである。
【発明を実施するための最良の形態】
【００１２】  現在の工場等ではほとんどが各所に設置されたコントロールセンターに通信装置を備え、この装置と中央制御室の制御器とが通信回線を通じ送受信を行い電動機の起動、停止を行っている。本発明の電磁接触器の採用と、各所に散らばっているコントロールセンターに専用の固定式絶縁抵抗測定器を配備し、これら通信装置と連携させる。電動機が不意に停止したときの絶縁抵抗測定などにはこの通信装置を介して固定式絶縁抵抗測定器に指令を出し絶縁抵抗測定を行わせる。その測定結果をまた中央制御室に送信し絶縁抵抗測定の遠隔化を実現させるものである。
【実施例】
【００１３】  図６はこの電磁接触器を利用した遠隔による絶縁抵抗測定方法を示したものである。スイッチ３はＯＦＦとなっているので電磁接触器４は開路し、すでに主接続子９と絶縁抵抗測定接点２０は接し無電圧である電動機ケーブルの情報を絶縁抵抗測定端子２０に導いている状態にある。次に遠隔監視・制御装置２４からの指令でＯＦＦとなっているスイッチ３の動作ロックを掛け固定式絶縁抵抗測定器２５が絶縁抵抗測定中にこのスイッチ３が入らないようにブロックする。次に通信装置２３を通じて固定式絶縁抵抗測定器２５に指令を与えて情報送受接点２６を接させ絶縁抵抗測定を行う。測定が終われば情報送受接点２６を断とし、その測定結果を通信装置２３を通じて遠隔監視・制御装置２４に送信する。中央制御室の担当者の数値評価によって問題なければ中央制御室でスイッチ３の動作ロックを解除する。
【産業上の利用可能性】
【００１４】  電磁接触器、電磁開閉器等を使用している工場等のコントロールセンター全てに利用できる。
【図面の簡単な説明】
【００１５】
【図１】  現状工場等の中央制御室から電動機までの概略を示す。
【図２】  電動機制御箱内の電磁接触器がＯＦＦした状態を示す。
【図３】  電動機制御箱内の電磁接触器がＯＮした状態を示す。
【図４】  電動機、電動機ケーブルの絶縁抵抗測定方法を示す。
【図５】  本発明の電磁接触器示す。
【図６】  本発明の実施例を示す。
【符号の説明】
【００１６】  １．電動機制御箱
４．電磁接触器
９．主接続子
１０．補助接続子
１２ｂ．負荷側電源接続端子
１４．電動機側ケーブル
１８．新規配線
１９．絶縁抵抗測定接点
２０．絶縁抵抗測定端子
２３．通信装置
２５．固定式絶縁抵抗測定器
２６．情報送受接点
【図１】
2010160124.tif 000003
【図２】
2010160124.tif 000004
【図３】
2010160124.tif 000005
【図４】
2010160124.tif 000006
【図５】
2010160124.tif 000007
【図６】
2010160124.tif 000008